【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
遊技用装置から遊技情報を収集する遊技情報収集手段と、
収集された遊技情報を、前記遊技用装置毎に遊技履歴情報として集計する遊技履歴集計手段と、
前記遊技履歴情報を記憶する遊技履歴情報記憶手段と、
前記遊技用装置に対応して設けられ、遊技場の各営業日の営業開始時点で、少なくとも当該営業日の前日を含む当該営業日よりも過去の遊技履歴情報を遊技者に開示する遊技履歴情報開示手段と、を備える遊技管理システムにおいて、
前記遊技用装置に対応して設けられ、前記営業開始時点に、前記遊技用装置で遊技する遊技者の遊技者情報を情報保持手段を用いて取得する遊技者情報取得手段と、
前記開示された遊技履歴情報と、前記遊技者情報とを対応付けて記憶する対応付記憶手段と、を備えることを特徴とする遊技管理システム。
【請求項２】
前記対応付記憶手段は、前記遊技履歴情報開示手段によって開示された遊技履歴情報と、前記遊技者情報取得手段が取得した遊技者情報と、当該営業日の遊技履歴情報とを対応付けて記憶することを特徴とする請求項１に記載の遊技管理システム。
【請求項３】
前記遊技用装置は、賞の付与率の設定を変更する設定変更手段を備え、
前記対応付記憶手段は、前記遊技履歴情報開示手段によって開示された遊技履歴情報と、前記遊技者情報取得手段が取得した遊技者情報と、前記営業日の遊技用装置の設定に関する情報とを対応付けて記憶することを特徴とする請求項１及び２に記載の遊技管理システム。
【請求項４】
前記遊技履歴情報開示手段によって開示された遊技履歴情報を所定の評価規則により評価する評価手段を備え、
前記対応付記憶手段は、前記評価手段によって評価された結果と、前記遊技者情報取得手段が取得した遊技者情報とを対応付けて記憶することを特徴とする請求項１に記載の遊技管理システム。
【請求項５】
前記遊技者情報に基づいて遊技者を特定する遊技者特定手段と、
前記遊技者特定手段によって特定された遊技者の遊技者情報と対応付けられた前記評価手段による過去の評価の結果を集計する評価結果集計手段と、
前記評価結果集計手段によって集計された評価の結果に基づいて、評価の類似する前記遊技用装置を検索する遊技機検索手段と、
前記検索された遊技用装置に基づいて、前記特定された遊技者が遊技用装置を選択する動向を推定する遊技機選択推定手段を備えることを特徴とする請求項４に記載の遊技管理システム。
【手続補正２】
【補正対象書類名】明細書
【補正対象項目名】００１０
【補正方法】変更
【補正の内容】
【００１０】
第1の発明は、遊技用装置から遊技情報を収集する遊技情報収集手段と、収集された遊技情報を、前記遊技用装置毎に遊技履歴情報として集計する遊技履歴集計手段と、前記遊技履歴情報を記憶する遊技履歴情報記憶手段と、前記遊技用装置に対応して設けられ、遊技場の各営業日の営業開始時点で、少なくとも当該営業日の前日を含む当該営業日よりも過去の遊技履歴情報を遊技者に開示する遊技履歴情報開示手段と、を備える遊技管理システムにおいて、前記遊技用装置に対応して設けられ、前記営業開始時点に、前記遊技用装置で遊技する遊技者の遊技者情報を情報保持手段を用いて取得する遊技者情報取得手段と、前記開示された遊技履歴情報と、前記遊技者情報とを対応付けて記憶する対応付記憶手段と、を備える。
【手続補正３】
【補正対象書類名】明細書
【補正対象項目名】００１１
【補正方法】変更
【補正の内容】
【００１１】
第２の発明は、第１の発明において、前記対応付記憶手段は、前記遊技履歴情報開示手段によって開示された遊技履歴情報と、前記遊技者情報取得手段が取得した遊技者情報と、当該営業日の遊技履歴情報とを対応付けて記憶する。
【手続補正４】
【補正対象書類名】明細書
【補正対象項目名】００１２
【補正方法】変更
【補正の内容】
【００１２】
第３の発明は、第１及び第２の発明において、前記遊技用装置は、賞の付与率の設定を変更する設定変更手段を備え、前記対応付記憶手段は、前記遊技履歴情報開示手段によって開示された遊技履歴情報と、前記遊技者情報取得手段が取得した遊技者情報と、前記営業日の遊技用装置の設定に関する情報とを対応付けて記憶する。
【手続補正５】
【補正対象書類名】明細書
【補正対象項目名】００１３
【補正方法】変更
【補正の内容】
【００１３】
第４の発明は、第１の発明において、前記遊技履歴情報開示手段によって開示された遊技履歴情報を所定の評価規則により評価する評価手段を備え、前記対応付記憶手段は、前記評価手段によって評価された結果と、前記遊技者情報取得手段が取得した遊技者情報とを対応付けて記憶する。
【手続補正６】
【補正対象書類名】明細書
【補正対象項目名】００１４
【補正方法】変更
【補正の内容】
【００１４】
第５の発明は、第４の発明において、前記遊技者情報に基づいて遊技者を特定する遊技者特定手段と、前記遊技者特定手段によって特定された遊技者の遊技者情報と対応付けられた前記評価手段による過去の評価の結果を集計する評価結果集計手段と、前記評価結果集計手段によって集計された評価の結果に基づいて、評価の類似する前記遊技用装置を検索する遊技機検索手段と、前記検索された遊技用装置に基づいて、前記特定された遊技者が遊技用装置を選択する動向を推定する遊技機選択推定手段を備える。
【手続補正７】
【補正対象書類名】明細書
【補正対象項目名】００１５
【補正方法】変更
【補正の内容】
【００１５】
第１の発明によれば、遊技用装置から遊技情報を収集する遊技情報収集手段と、収集された遊技情報を、前記遊技用装置毎に遊技履歴情報として集計する遊技履歴集計手段と、前記遊技履歴情報を記憶する遊技履歴情報記憶手段と、前記遊技用装置に対応して設けられ、遊技場の各営業日の営業開始時点で、少なくとも当該営業日の前日を含む当該営業日よりも過去の遊技履歴情報を遊技者に開示する遊技履歴情報開示手段と、を備える遊技管理システムにおいて、前記遊技用装置に対応して設けられ、前記営業開始時点に、前記遊技用装置で遊技する遊技者の遊技者情報を情報保持手段を用いて取得する遊技者情報取得手段と、前記開示された遊技履歴情報と、前記遊技者情報とを対応付けて記憶する対応付記憶手段と、を備えることによって、営業開始後に発生する遊技者の遊技機選択に誤差を与える要因を排除して、遊技者が何を目安にして遊技機を選択しているのかを的確に把握できる。そして、遊技場は、遊技者の遊技機選択の動向を把握することで、遊技者の期待に応える調整や、遊技者の予想に反する調整など、遊技場の意に沿った調整をするための目安にできる。
【手続補正８】
【補正対象書類名】明細書
【補正対象項目名】００１６
【補正方法】変更
【補正の内容】
【００１６】
第２の発明によれば、前記対応付記憶手段は、前記遊技履歴情報開示手段によって開示された遊技履歴情報と、前記遊技者情報取得手段が取得した遊技者情報と、当該営業日の遊技履歴情報とを対応付けて記憶することによって、遊技者が何を目安にして遊技機を選択しているのかを容易に把握できる。
【手続補正９】
【補正対象書類名】明細書
【補正対象項目名】００１７
【補正方法】変更
【補正の内容】
【００１７】
第３の発明によれば、前記遊技用装置は、賞の付与率の設定を変更する設定変更手段を備え、前記対応付記憶手段は、前記遊技履歴情報開示手段によって開示された遊技履歴情報と、前記遊技者情報取得手段が取得した遊技者情報と、前記営業日の遊技用装置の設定に関する情報とを対応付けて記憶することによって、開店時に遊技者がある遊技機を選択した結果が、当該遊技機の終日の稼動にどのような影響を与えるのかを評価できる。
【手続補正１０】
【補正対象書類名】明細書
【補正対象項目名】００１８
【補正方法】変更
【補正の内容】
【００１８】
第４の発明によれば、前記遊技履歴情報開示手段によって開示された遊技履歴情報を所定の評価規則により評価する評価手段を備え、前記対応付記憶手段は、前記評価手段によって評価された結果と、前記遊技者情報取得手段が取得した遊技者情報とを対応付けて記憶することによって、一日の遊技だけでは看破困難な設定が遊技機の稼動に与える影響を検証できる。
【手続補正１１】
【補正対象書類名】明細書
【補正対象項目名】００１９
【補正方法】変更
【補正の内容】
【００１９】
第５の発明によれば、前記遊技者情報に基づいて遊技者を特定する遊技者特定手段と、
前記遊技者特定手段によって特定された遊技者の遊技者情報と対応付けられた前記評価手段による過去の評価の結果を集計する評価結果集計手段と、前記評価結果集計手段によって集計された評価の結果に基づいて、評価の類似する前記遊技用装置を検索する遊技機検索手段と、前記検索された遊技用装置に基づいて、前記特定された遊技者が遊技用装置を選択する動向を推定する遊技機選択推定手段を備えることによって、特定の遊技者に対して遊技場の意に沿った調整ができる。
【手続補正１２】
【補正対象書類名】明細書
【補正対象項目名】００６５
【補正方法】変更
【補正の内容】
【００６５】
Ｉ／Ｏポート４０９は、パラレル又はシリアルの入出力ポートであり、ドライバを介して外部入出力端子に接続されており、当該外部入出力端子には、遊技機５ａから出力される賞球信号、特賞信号、確変信号、スタート信号や、周辺装置（補給数計数装置５ｃ及び回収数計数装置５ｄ）から出力される補給信号又は回収信号等の遊技情報（図４）が入力される。なお、賞球信号、特賞信号、確変信号及びスタート信号は、通信ポート４１０と、遊技機５ａの遊技制御装置に備えられた遊技用マイクロコンピュータ５００とで直接通信することで受信することもできる。